(57)【要約】【課題】  複数の対象の現況を表示する領域の大きさ変更することが可能な端末装置を提供する。【解決手段】  プレゼンス表示・非表示変更手段Ａ７は、ユーザによって入力された表示状態変更指示を入力装置Ａ１が受け付けた際に入力装置Ａ１が出力するプレゼンス表示・非表示トリガを受け付けると、プレゼンス表示処理用データ記憶部Ａ１１に記憶されているプレゼンス表示・非表示フラグＡ１１６の状態を変更する。表示更新手段Ａ８は、プレゼンス表示・非表示フラグＡ１１６の値が「非表示」の場合には現況表示の表示領域を第１の表示領域にして現況表示を出力装置Ａ３に実行させ、プレゼンス表示・非表示フラグＡ１１６の値が「表示」の場合にはプレゼンス表示処理用データ記憶部Ａ１１に記憶されている表示対象プレゼンスＡ１１３の表示を含む現況表示の表示領域を第１の表示領域よりも広い第２の表示領域にして出力装置Ａ３に現況表示を実行させる。【選択図】      図１
2005135250.tif 000002
【特許請求の範囲】
【請求項１】
複数の対象の現況を管理する現況管理サーバから通信回線を介して該現況を示す現況情報が提供される端末装置であって、
前記現況情報に応じた表示を行う表示部と、
表示状態変更指示を受け付ける入力部と、
前記表示状態変更指示に基づいて前記表示の大きさを変更する表示領域制御部とを含むことを特徴とする端末装置。
【請求項２】
請求項１に記載の端末装置において、
前記入力部は、ユーザによって入力された前記表示状態変更指示を受け付け、
前記表示領域制御部は、前記表示状態変更指示に基づいて前記表示の表示領域を第１の表示領域と前記第１の表示領域よりも広い第２の表示領域とのいずれかに設定することを特徴とする端末装置。
【請求項３】
請求項２に記載の端末装置において、
前記入力部は、さらに、前記表示状態変更指示として、前記複数の対象の中のいずれかの対象の現況が変化した際に前記現況管理サーバから通信回線を介して提供される現況情報を受け付け、
前記表示領域制御部は、前記入力部が前記現況情報を受け付けた場合に、前記表示の表示領域が前記第１の表示領域の際には該第１の表示領域を維持し、前記表示の表示領域が前記第２の表示領域の際には該現況情報に応じて前記表示の表示内容を変更することを特徴とする端末装置。
【請求項４】
請求項２に記載の端末装置において、
前記入力部は、さらに、前記表示状態変更指示として、前記複数の対象の中のいずれかの対象の現況が変化した際に前記現況管理サーバから通信回線を介して提供される現況情報を受け付け、
前記表示領域制御部は、前記入力部が前記現況情報を受け付けた場合に、前記表示の表示領域が前記第１の表示領域の際には前記表示の表示領域を前記第１の表示領域より広い表示領域にするとともに前記現況情報に応じて前記表示の表示内容を変更し、前記表示の表示領域が前記第２の表示領域の際には該現況情報に応じて前記表示の表示内容を変更することを特徴とする端末装置。
【請求項５】
請求項１に記載の端末装置において、
ユーザにより設定された表示対象条件を格納する格納部をさらに含み、
前記入力部は、前記表示状態変更指示として、前記複数の対象の中のいずれかの対象の現況が変化した際に前記現況管理サーバから通信回線を介して提供される現況情報を受け付け、
前記表示領域制御部は、
前記複数の対象の中から前記表示対象条件に応じた対象を前記表示の表示対象として選択する選択手段と、
前記入力部が受け付けた現況情報に基づいて前記選択手段が選択する表示対象の数が変化した際、前記表示対象の数に応じて前記表示の表示領域を変更する表示更新手段とを含むことを特徴とする端末装置。
【請求項６】
複数の対象の現況を管理する現況管理サーバと、
前記現況管理サーバから通信回線を介して前記所定の対象の現況を示す現況情報が提供される請求項１ないし５のいずれか１項に記載の端末装置とを含むことを特徴とする現況表示システム。
【請求項７】
請求項６に記載の現況表示システムにおいて、
前記現況管理サーバは、前記複数の対象の中のいずれかの対象の現況に変化が生じた際に前記通信回線を介して前記現況情報を前記端末装置に提供することを特徴とする現況表示システム。
【請求項８】
請求項６に記載の現況表示システムにおいて、
前記端末装置は、前記通信回線を介して前記現況情報を要求する要求信号を前記現況管理サーバに送信し、
前記現況管理サーバは、前記要求信号を受信した際に前記通信回線を介して前記現況情報を前記端末装置に提供することを特徴とする現況表示システム。
【請求項９】
複数の対象の現況を管理する現況管理サーバから通信回線を介して該現況を示す現況情報が提供される端末装置が行う表示領域制御方法であって、
前記現況情報に応じた表示を表示部に表示させる表示ステップと、
表示状態変更指示を受け付ける受け付けステップと、
前記表示状態変更指示に基づいて前記表示の大きさを変更する表示領域制御ステップとを含むことを特徴とする表示領域制御方法。
【請求項１０】
請求項９に記載の表示領域制御方法において、
前記受け付けステップは、ユーザによって入力された前記表示状態変更指示を受け付け、
前記表示領域制御ステップは、前記表示状態変更指示に基づいて前記表示の表示領域を第１の表示領域と前記第１の表示領域よりも広い第２の表示領域とのいずれかに設定することを特徴とする表示領域制御方法。
【請求項１１】
請求項１０に記載の表示領域制御方法において、
前記受け付けステップは、さらに、前記表示状態変更指示として、前記複数の対象の中のいずれかの対象の現況が変化した際に前記現況管理サーバから通信回線を介して提供される現況情報を受け付け、
前記表示領域制御ステップは、前記受け付けステップが前記現況情報を受け付けた場合に、前記表示の表示領域が前記第１の表示領域の際には該第１の表示領域を維持し、前記表示の表示領域が前記第２の表示領域の際には該現況情報に応じて前記表示の表示内容を変更することを特徴とする表示領域制御方法。
【請求項１２】
請求項１０に記載の表示領域制御方法において、
前記受け付けステップは、さらに、前記表示状態変更指示として、前記複数の対象の中のいずれかの対象の現況が変化した際に前記現況管理サーバから通信回線を介して提供される現況情報を受け付け、
前記表示領域制御ステップは、前記受け付けステップが前記現況情報を受け付けた場合に、前記表示の表示領域が前記第１の表示領域の際には前記表示の表示領域を前記第１の表示領域より広い表示領域にするとともに前記現況情報に応じて前記表示の表示内容を変更し、前記表示の表示領域が前記第２の表示領域の際には該現況情報に応じて前記表示の表示内容を変更することを特徴とする表示領域制御方法。
【請求項１３】
請求項９に記載の表示領域制御方法において、
前記端末装置は、ユーザにより設定された表示対象条件を格納する格納部を含み、
前記受け付けステップは、前記表示状態変更指示として、前記複数の対象の中のいずれかの対象の現況が変化した際に前記現況管理サーバから通信回線を介して提供される現況情報を受け付け、
前記表示領域制御ステップは、
前記複数の対象の中から前記表示対象条件に応じた対象を前記表示の表示対象として選択する選択ステップと、
前記受け付けステップが受け付けた現況情報に基づいて前記選択ステップで選択する表示対象の数が変化した際、前記表示対象の数に応じて前記表示の表示領域を変更する表示更新ステップとを含むことを特徴とする表示領域制御方法。
【請求項１４】
複数の対象の現況を管理する現況管理サーバと、前記現況管理サーバと通信回線を介して接続される端末装置とを含む現況表示システムが行う表示領域制御方法であって、
前記現況管理サーバが前記通信回線を介して前記複数の対象の現況を示す現況情報を前記端末装置に提供する提供ステップと、
前記端末装置が請求項９ないし１３のいずれか１項に記載の表示領域制御方法を実行する実行ステップとを含むことを特徴とする表示領域制御方法。
【請求項１５】
請求項１４に記載の表示領域制御方法において、
前記現況管理サーバが前記複数の対象の中のいずれかの対象の現況に変化が生じた際に前記通信回線を介して前記現況情報を前記端末装置に提供することを特徴とする表示領域制御方法。
【請求項１６】
請求項１４に記載の表示領域制御方法において、
前記端末装置が前記通信回線を介して前記現況情報を要求する要求信号を前記現況管理サーバに送信し、
前記現況管理サーバが前記要求信号を受信した際に前記通信回線を介して前記現況情報を前記端末装置に提供することを特徴とする表示領域制御方法。
【請求項１７】
請求項９ないし１２のいずれか１項に記載の表示領域制御方法をコンピュータに実行させることを特徴とするプログラム。
【発明の詳細な説明】
【技術分野】
【０００１】
本発明は、複数の対象の現況を表示可能な端末装置および複数の対象の現況を示す表示の領域を制御する表示領域制御方法、現況表示システムおよびプログラムに関する。
【背景技術】
【０００２】
従来、所定の装置の現況または所定の人の現況といった所定の物事の現況をプレゼンスとして表示するプレゼンス表示装置が存在する。
【０００３】
例えば、特許文献１（特開２００３−２１６２９７号公報）には、主表示部と異なる補助表示部に自己の現況を示す情報を表示するＰＣ（パーソナルコンピュータ）等の電子装置が記載されている。なお、特許文献１に記載の電子装置の場合、電子装置自身の現況しか表示しないので、例えば、複数の人の現況または複数の装置の現況を表示することはできない。
【０００４】
複数の人の現況または複数の装置の現況を表示するものとしては、複数の人の現況または複数の装置の現況を管理するプレゼンスサーバ（管理サーバ）と、このプレゼンスサーバとネットワークを介して接続しプレゼンスサーバから提供される複数の人または複数の装置のプレゼンス（現況）を表示するプレゼンス表示用端末装置とを含むプレゼンス表示システムがある。
【０００５】
従来、プレゼンス表示システムに含まれるプレゼンス表示用端末装置では、プレゼンスの表示領域は固定されていた。
【０００６】
なお、複数の人の現況を管理するプレゼンスサーバは、例えば、特許文献２（特開２０００−１８９００９号公報）に記載されている。ちなみに、特許文献２には、プレゼンスサーバによって管理される情報に基づいて、送信対象の情報を接続中の携帯電話機またはＰＣ（パーソナルコンピュータ）に応じた形式に加工して送信する通信方法が記載されている。
【特許文献１】特開２００３−２１６２９７号公報
【特許文献２】特開２０００−１８９００９号公報
【発明の開示】
【発明が解決しようとする課題】
【０００７】
プレゼンス表示システムに含まれるプレゼンス表示用端末装置は、プレゼンスの表示領域が固定されているので、例えば、プレゼンス表示用端末装置の表示部を用いて他の機能を実行する場合、プレゼンスの表示領域が邪魔になってしまう可能性があり、他の機能の作業効率が低下してしまうという問題点があった。
【０００８】
また、プレゼンスの表示領域は固定されているので、複数の人または複数の装置の現況が変化しても、特に、プレゼンスの表示領域に表示するプレゼンス表示対象の数が変化しても、その変化が把握しにくいという問題があった。
【０００９】
本発明の目的は、複数の対象の現況を表示する領域を変更することが可能な端末装置およびその表示領域制御方法および現況表示システムを提供することである。
【課題を解決するための手段】
【００１０】
上記の目的を達成するために、本発明の端末装置は、複数の対象の現況を管理する現況管理サーバから通信回線を介して該現況を示す現況情報が提供される端末装置であって、前記現況情報に応じた表示を行う表示部と、表示状態変更指示を受け付ける入力部と、前記表示状態変更指示に基づいて前記表示の大きさを変更する表示領域制御部とを含むことを特徴とする
また、本発明の表示領域制御方法は、複数の対象の現況を管理する現況管理サーバから通信回線を介して該現況を示す現況情報が提供される端末装置が行う表示領域制御方法であって、前記現況情報に応じた表示を表示部に表示させる表示ステップと、表示状態変更指示を受け付ける受け付けステップと、前記表示状態変更指示に基づいて前記表示の大きさを変更する表示領域制御ステップとを含むことを特徴とする。
【００１１】
本発明の端末装置および本発明の表示領域制御方法によれば、表示状態変更指示を受け付けることによって現況情報に応じた表示の大きさを変更できる。
【００１２】
したがって、例えば、端末装置の表示部を用いて他の機能を実行する場合、ユーザが表示状態変更指示を端末装置に受け付けさせることによって現況情報に応じた表示の表示領域を小さくすることが可能となり、他の機能を実行する際に現況情報に応じた表示が邪魔になって他の機能の作業効率が低下してしまうという課題を解決することが可能になる。
【００１３】
また、複数の対象のいずれかの現況が変化した場合に表示状態変更指示を受け付けさせることによって現況情報に応じた表示の表示領域を変更することが可能となるので、ユーザが複数の対象のいずれかの現況の変化を視覚的に容易に確認することが可能となる。
【００１４】
また、前記入力部は、ユーザによって入力された前記表示状態変更指示を受け付け、前記表示領域制御部は、前記表示状態変更指示に基づいて前記表示の表示領域を第１の表示領域と前記第１の表示領域よりも広い第２の表示領域とのいずれかに設定することが望ましい。
【００１５】
また、前記受け付けステップは、ユーザによって入力された前記表示状態変更指示を受け付け、前記表示領域制御ステップは、前記表示状態変更指示に基づいて前記表示の表示領域を第１の表示領域と前記第１の表示領域よりも広い第２の表示領域とのいずれかに設定することが望ましい。
【００１６】
上記の発明によれば、ユーザからの入力に応じて現況情報に応じた表示の表示領域を拡大したり縮小したりすることが可能となる。したがって、例えば、端末装置の表示部を用いて他の機能を実行する場合には現況情報に応じた表示の表示領域を小さくして画面上の占有率を減少させ、現況情報に応じた表示を閲覧したい場合には現況情報に応じた表示の表示領域を大きくすることができ、作業効率の向上が図れる。
【００１７】
また、現況情報に応じた表示を非表示にするのではなく、ユーザの操作に基づいて現況情報に応じた表示の表示領域を拡大したり縮小したりするので、現況情報に応じた表示を非表示にする場合に比べて現況情報に応じた表示の表示領域へのアクセス性が向上する。
【００１８】
また、前記入力部は、さらに、前記表示状態変更指示として、前記複数の対象の中のいずれかの対象の現況が変化した際に前記現況管理サーバから通信回線を介して提供される現況情報を受け付け、前記表示領域制御部は、前記入力部が前記現況情報を受け付けた場合に、前記表示の表示領域が前記第１の表示領域の際には該第１の表示領域を維持し、前記表示の表示領域が前記第２の表示領域の際には該現況情報に応じて前記表示の表示内容を変更することが望ましい。
【００１９】
また、前記受け付けステップは、さらに、前記表示状態変更指示として、前記複数の対象の中のいずれかの対象の現況が変化した際に前記現況管理サーバから通信回線を介して提供される現況情報を受け付け、前記表示領域制御ステップは、前記受け付けステップが前記現況情報を受け付けた場合に、前記表示の表示領域が前記第１の表示領域の際には該第１の表示領域を維持し、前記表示の表示領域が前記第２の表示領域の際には該現況情報に応じて前記表示の表示内容を変更することが望ましい。
【００２０】
上記の発明によれば、ユーザが現況情報に応じた表示の表示領域を第１の表示領域に設定した際には、現況情報を受け付けても第１の表示領域の状態を維持するので、例えば、端末装置の表示部を用いて他の機能を実行している場合、現況情報を受け付けた際に現況情報に応じた表示の表示領域が第１の表示領域より広い表示領域に変更される場合に比べて、他の機能の作業効率がよくなる。
【００２１】
また、前記入力部は、さらに、前記表示状態変更指示として、前記複数の対象の中のいずれかの対象の現況が変化した際に前記現況管理サーバから通信回線を介して提供される現況情報を受け付け、前記表示領域制御部は、前記入力部が前記現況情報を受け付けた場合に、前記表示の表示領域が前記第１の表示領域の際には前記表示の表示領域を前記第１の表示領域より広い表示領域にするとともに前記現況情報に応じて前記表示の表示内容を変更し、前記表示の表示領域が前記第２の表示領域の際には該現況情報に応じて前記表示の表示内容を変更することが望ましい。
【００２２】
また、前記受け付けステップは、さらに、前記表示状態変更指示として、前記複数の対象の中のいずれかの対象の現況が変化した際に前記現況管理サーバから通信回線を介して提供される現況情報を受け付け、前記表示領域制御ステップは、前記受け付けステップが前記現況情報を受け付けた場合に、前記表示の表示領域が前記第１の表示領域の際には前記表示の表示領域を前記第１の表示領域より広い表示領域にするとともに前記現況情報に応じて前記表示の表示内容を変更し、前記表示の表示領域が前記第２の表示領域の際には該現況情報に応じて前記表示の表示内容を変更することが望ましい。
【００２３】
上記の発明によれば、ユーザが現況情報に応じた表示の表示領域を第２の表示領域に設定していても、現況情報を受け付けた際には現況情報に応じた表示の表示領域が第１の表示領域より広い表示領域に変更されるので、複数の対象のいずれかの現況の変化を確認することが容易になる。
【００２４】
また、ユーザにより設定された表示対象条件を格納する格納部をさらに含み、前記入力部は、前記表示状態変更指示として、前記複数の対象の中のいずれかの対象の現況が変化した際に前記現況管理サーバから通信回線を介して提供される現況情報を受け付け、前記表示領域制御部は、前記複数の対象の中から前記表示対象条件に応じた対象を前記表示の表示対象として選択する選択手段と、前記入力部が受け付けた現況情報に基づいて前記選択手段が選択する表示対象の数が変化した際、前記表示対象の数に応じて前記表示の表示領域を変更する表示更新手段とを含むことが望ましい。
【００２５】
また、前記端末装置は、ユーザにより設定された表示対象条件を格納する格納部を含み、前記受け付けステップは、前記表示状態変更指示として、前記複数の対象の中のいずれかの対象の現況が変化した際に前記現況管理サーバから通信回線を介して提供される現況情報を受け付け、前記表示領域制御ステップは、前記複数の対象の中から前記表示対象条件に応じた対象を前記表示の表示対象として選択する選択ステップと、前記受け付けステップが受け付けた現況情報に基づいて前記選択ステップで選択する表示対象の数が変化した際、前記表示対象の数に応じて前記表示の表示領域を変更する表示更新ステップとを含むことが望ましい。
【００２６】
上記の発明によれば、表示対象の数の変化に応じて現況情報に応じた表示の表示領域が変化するので、表示対象の数の変化が視覚的に容易に把握できる。
【００２７】
本発明の現況表示システムは、複数の対象の現況を管理する現況管理サーバと、前記現況管理サーバから通信回線を介して前記所定の対象の現況を示す現況情報が提供される前記端末装置とを含むことを特徴とする。
【００２８】
本発明の表示領域制御方法は、複数の対象の現況を管理する現況管理サーバと、前記現況管理サーバと通信回線を介して接続される端末装置とを含む現況表示システムが行う表示領域制御方法であって、前記現況管理サーバが前記通信回線を介して前記複数の対象の現況を示す現況情報を前記端末装置に提供する提供ステップと、前記端末装置が前記表示領域制御方法を実行する実行ステップとを含むことを特徴とする。
【００２９】
本発明の現況表示システムおよび本発明の表示領域制御方法によれば、上記と同様の効果を奏する現況表示システムおよび表示領域制御方法を実現することが可能となる。
【００３０】
また、前記現況管理サーバが前記複数の対象の中のいずれかの対象の現況に変化が生じた際に前記通信回線を介して前記現況情報を前記端末装置に提供することが望ましい。
【００３１】
また、前記端末装置が前記通信回線を介して前記現況情報を要求する要求信号を前記現況管理サーバに送信し、
前記現況管理サーバが前記要求信号を受信した際に前記通信回線を介して前記現況情報を前記端末装置に提供することが望ましい。
【００３２】
本発明のプログラムは、前記表示領域制御方法をコンピュータに実行させることを特徴とする。
【発明の効果】
【００３３】
第１の効果は、表示領域を必要に応じて拡大・縮小させることが可能となり作業効率を向上させることにある。その理由は、現況情報に応じた表示を閲覧したい場合は現況情報に応じた表示の表示領域を拡大して閲覧でき、現況情報に応じた表示を閲覧したくないときは現況情報に応じた表示の表示領域を縮小できるためである。
【００３４】
第２の効果は、現況情報に応じた表示の表示領域が縮小しても現況情報に応じた表示の表示領域へのアクセス性が損なわれないことにある。その理由は、現況情報に応じた表示の表示領域を非表示にするのではなく、現況情報に応じた表示の表示領域を縮小し、現況情報に応じた表示の表示領域を非表示にしないためである。
【００３５】
第３の効果は、複数の対象のいずれかの現状の変化、例えば表示対象の数の変化が視覚的に把握できることにある。その理由は、複数の対象のいずれかの現状の変化、例えば表示対象の数の変化に応じて現況情報に応じた表示の表示領域が変化するためである。
【発明を実施するための最良の形態】
【００３６】
以下、本発明の一実施例を図面を参照して説明する。
【００３７】
図１は、本発明の一実施例の現況表示システムを示したブロック図である。
【００３８】
図１において、本実施例の現況表示システムは、端末装置１と、端末装置１とネットワークＡ６を介して接続するプレゼンスサーバＡ５とを含む。
【００３９】
本発明の一実施例の端末装置１は、マウスまたはキーボード等の入力部としての入力装置Ａ１、プログラム制御により動作するデータ処理装置Ａ２、表示部としての出力装置Ａ３および種々の情報を記憶する記憶装置Ａ４とを含む。
【００４０】
データ処理装置Ａ２は、プレゼンスサービスを提供するプレゼンスサーバＡ５とネットワークＡ６を通じて接続する。
【００４１】
なお、本願において「プレゼンス」とは、プレゼンスサーバＡ５に現況を通知可能な物事すなわち対象（例えば、人または装置）の現在の状態を表す値を含む。
【００４２】
プレゼンスサーバＡ５は、複数の対象（例えば、人または装置）の現況（プレゼンス）を管理する。具体的には、プレゼンスサーバＡ５は、複数の対象のそれぞれと、各々の現況（プレゼンス）とを関連づけて格納している。したがって、プレゼンスサーバＡ５は、各現況（プレゼンス）を対象ごとに識別可能な状態で保持している。
【００４３】
プレゼンスサーバＡ５が管理しているそれぞれの物事（対象）は、自己の状態に応じた適切なプレゼンス、つまり自己の現況をプレゼンスサーバＡ５に登録する。
【００４４】
なお、物事（対象）が、自身のプレゼンスをプレゼンスサーバＡ５に登録する機能を具備しない場合、プレゼンスサーバＡ５がその物事のプレゼンスを取得するようにしてもよい。
【００４５】
プレゼンスサーバＡ５に登録されているプレゼンスは、以下に示す物事（対象）が取得可能であることが望ましい。
【００４６】
第一に、自己のプレゼンスをプレゼンスサーバＡ５に登録した物事（対象）自身。
【００４７】
第二に、自己のプレゼンスをプレゼンスサーバＡ５に登録した物事（対象）によりプレゼンスサーバＡ５からプレゼンスを取得することを許可された物事（対象）。
【００４８】
第三に、プレゼンスサーバＡ５の管理者によりプレゼンスサーバＡ５からプレゼンスを取得することを許可された物事（対象）。
【００４９】
本実施例では、端末装置１は、プレゼンスサーバＡ５に登録されているプレゼンスを取得可能である。
【００５０】
なお、本実施例においては、特定の物事（対象）甲が別の物事（対象）乙のプレゼンスの取得を希望し、物事（対象）乙が物事（対象）甲による物事（対象）乙のプレゼンス取得を許可しているとき、物事（対象）乙を物事（対象）甲の「プレゼンス取得対象」と呼称する。
【００５１】
本実施例では、端末装置１がプレゼンスサーバＡ５から複数の物事（対象）のプレゼンスを取得可能であるので、複数の物事（対象）が端末装置１の「プレゼンス取得対象」となる。
【００５２】
記憶装置Ａ４は、プレゼンス表示処理用データ記憶部Ａ１１を備える。
【００５３】
図２は、プレゼンス表示処理用データ記憶部Ａ１１が保持しているデータの一例を示した説明図である。なお、プレゼンス表示処理用データ記憶部Ａ１１が保持しているデータは、図２に示したものに限らず、適宜変更可能である。
【００５４】
プレゼンス表示処理用データ記憶部Ａ１１は、図２に示したように、プレゼンス表示処理に必要な以下の７種類のデータを保持する。第一のデータはプレゼンスリストＡ１１１である。第二のデータは表示対象プレゼンス識別子Ａ１１２、第三のデータは表示対象プレゼンスＡ１１３、第四のデータは表示対象プレゼンス数Ａ１１４、第五のデータは一画面に表示可能な最大プレゼンス数Ａ１１５、第六のデータはプレゼンス表示・非表示フラグＡ１１６、第七のデータは、スクロール要・不要フラグＡ１１７である。
【００５５】
プレゼンスリストＡ１１１は、プレゼンスリスト生成手段Ａ９が端末装置１のプレゼンス取得対象のそれぞれ（図２の場合、Ａ〜Ｅ氏）についてのプレゼンス情報（現況情報）をプレゼンスサーバＡ５から取得し、取得したプレゼンス情報に基づいてプレゼンスリスト生成手段Ａ９が生成したリストである。
【００５６】
なお、プレゼンスサーバＡ５から取得するプレゼンス情報は、プレゼンス取得対象を識別するプレゼンス取得対象識別子（図２の場合、Ａ〜Ｅ氏を識別する識別子）と、端末装置１においてプレゼンス取得対象を表示する際に用いるプレゼンス取得対象表示用名称（図２の場合、Ａさん〜Ｅさん）と、プレゼンス取得対象の現況すなわちプレゼンスとを含む。
【００５７】
プレゼンスリストＡ１１１は、具体的には、端末装置１のプレゼンス取得対象の表示用名称Ａ１１１ａと、プレゼンス取得対象のプレゼンスＡ１１１ｂとを含む。
【００５８】
端末装置１は、プレゼンスリストＡ１１１を参照することによってプレゼンス取得対象（図２の場合、Ａ〜Ｅ氏）のプレゼンスを知ることができる。
【００５９】
表示対象プレゼンス識別子Ａ１１２は、プレゼンスリストＡ１１１から表示対象プレゼンスＡ１１３を選択する際の基準となる値（表示対象条件）である。表示対象プレゼンス識別子Ａ１１２は、例えば、ユーザが入力装置Ａ１を操作することによって設定される。
【００６０】
図２では、表示対象プレゼンス識別子Ａ１１２として、「オンライン」が設定されている。なお、本実施例では、表示対象プレゼンス識別子Ａ１１２「オンライン」は、プレゼンスリストＡ１１１中のプレゼンスの中で「オフライン」と異なるプレゼンスを選択するために用いられる。
【００６１】
表示対象プレゼンスＡ１１３は、プレゼンスリストＡ１１１から、表示対象プレゼンス識別子Ａ１１２に合致するプレゼンスおよびそのプレゼンスに対応するプレゼンス取得対象とを関連づけて抜き出したものであり、出力装置Ａ３に出力する表示用データを生成するために用いられる。
【００６２】
表示対象プレゼンス数Ａ１１４は、現在表示対象となっているプレゼンスの数、具体的には、表示対象プレゼンスＡ１１３に登録されているプレゼンスの数である。なお、現在表示対象となっているプレゼンスの数は、現在表示対象となっているプレゼンス取得対象の数と同じである。表示対象プレゼンス数Ａ１１４は、一画面に表示可能な最大プレゼンス数Ａ１１５より大きい場合もある。
【００６３】
一画面に表示可能な最大プレゼンス数Ａ１１５は、表示部（ディスプレイ装置）である出力装置Ａ３の表示領域に、スクロール操作などを伴わずに提示可能なプレゼンスの数の最大値である。一画面に表示可能な最大プレゼンス数は、出力装置Ａ３の性能、例えば、ディスプレイ装置の解像度により変化する。なお、一画面に表示可能な最大プレゼンス数Ａ１１５は、、例えば、ユーザが入力装置Ａ１を操作することによって設定される。
【００６４】
プレゼンス表示・非表示フラグＡ１１６は、出力装置Ａ３の表示領域に表示対象プレゼンスＡ１１３を表示するか否かを表す値である。
【００６５】
スクロール要・不要フラグＡ１１７は、出力装置Ａ３の表示領域に表示対象プレゼンスＡ１１３を表示する際にスクロール等の機能を付加する必要があるか否かを表す値である。
【００６６】
図１に戻って、表示領域制御部としてのデータ処理装置Ａ２は、コンピュータであり、データ処理装置内のメモリ（不図示）に記憶された制御プログラムに従って端末装置１全体の動作を制御する。なお、図１では、データ処理装置Ａ２がデータ処理装置Ａ２内のメモリに記憶された制御プログラムを実行することによって実現される機能を機能ブロック図として示している。
【００６７】
データ処理装置Ａ２は、プレゼンス表示・非表示変更手段Ａ７と、表示更新手段Ａ８と、プレゼンスリスト生成手段Ａ９と、表示プレゼンス選択手段Ａ１０とを含む。
【００６８】
入力部としてのプレゼンス表示・非表示変更手段Ａ７は、入力装置Ａ１からの入力に応じて表示対象プレゼンスＡ１１３の表示・非表示を制御する機能を有する。具体的には、プレゼンス表示・非表示変更手段Ａ７は、入力装置Ａ１からの入力に応じて、プレゼンス表示処理用データ記憶部Ａ１１に格納されているプレゼンス表示・非表示フラグＡ１１６の状態を変更する。
【００６９】
入力部としてのプレゼンスリスト生成手段Ａ９は、必要に応じてプレゼンスサーバＡ５からプレゼンス取得対象の情報（プレゼンス情報）を取得または受信し、プレゼンスリストＡ１１１を生成する。プレゼンスリスト生成手段Ａ９は、生成したプレゼンスリストＡ１１１をプレゼンス表示処理用データ記憶部Ａ１１に格納する。
【００７０】
選択手段としての表示プレゼンス選択手段Ａ１０は、プレゼンス表示処理用データ記憶部Ａ１１からプレゼンスリスト生成手段Ａ９が生成したプレゼンスリストＡ１１１と表示対象プレゼンス識別子Ａ１１２とを読み出し、表示するプレゼンスおよびプレゼンス取得対象を識別する。表示プレゼンス選択手段Ａ１０は、識別したプレゼンスおよびプレゼンス取得対象を、表示対象プレゼンスＡ１１３としてプレゼンス表示処理用データ記憶部Ａ１１に格納する。
【００７１】
表示更新手段Ａ８は、プレゼンス表示処理用データ記憶部Ａ１１に保持されているプレゼンス表示・非表示フラグＡ１１６、スクロール要・不要フラグＡ１１７および表示対象プレゼンスＡ１１３とに基づいて現況情報に応じた表示用の描画用データを生成し、現況情報に応じた表示の表示領域の更新処理を行う。
【００７２】
プレゼンスサーバＡ５は、物事（例えば、複数の装置または複数の人などの複数の対象）のプレゼンス情報を蓄積し、例えば、プレゼンスリスト生成手段Ａ９からの要求に応じて、端末装置１のプレゼンス取得対象のプレゼンス情報をネットワークＡ６を介してプレゼンスリスト生成手段Ａ９に提供する。
【００７３】
次に、動作の概要を説明する。
【００７４】
プレゼンス表示・非表示変更手段Ａ７は、ユーザによって入力された表示状態変更指示を入力装置Ａ１が受け付けた際に入力装置Ａ１が出力するプレゼンス表示・非表示トリガを受け付けると、プレゼンス表示処理用データ記憶部Ａ１１に記憶されているプレゼンス表示・非表示フラグＡ１１６の状態を変更する。
【００７５】
具体的には、プレゼンス表示・非表示変更手段Ａ７は、入力装置Ａ１から提供されるプレゼンス表示・非表示トリガを受け付けると、プレゼンス表示・非表示フラグＡ１１６の現状が「表示」なら「非表示」に、プレゼンス表示・非表示フラグＡ１１６の現状が「非表示」なら「表示」に設定する。
【００７６】
表示更新手段Ａ８は、プレゼンス表示・非表示フラグＡ１１６の値が「非表示」の場合には現況情報に応じた表示の表示領域を第１の表示領域にして現況情報に応じた表示を出力装置Ａ３に実行させ、プレゼンス表示・非表示フラグＡ１１６の値が「表示」の場合にはプレゼンス表示処理用データ記憶部Ａ１１に記憶されている表示対象プレゼンスＡ１１３の表示を含む現況表示の表示領域を第１の表示領域よりも広い第２の表示領域にして出力装置Ａ３に現況表示を実行させる。
【００７７】
本実施例によれば、プレゼンス取得対象のプレゼンスを閲覧したい場合はプレゼンス取得対象のプレゼンスの表示領域（現況表示）を拡大して閲覧でき、プレゼンス取得対象のプレゼンスを閲覧したくないときは現況情報に応じた表示の表示領域を縮小できるため、画面上の占有率を減少させることで作業効率を向上させる。また、現況情報に応じた表示の表示領域を縮小した場合でも適度な大きさを保つため、アクセシビリティを損なわずに画面上の占有率を減少させる。
【００７８】
また、プレゼンスリスト生成手段Ａ９は、プレゼンス取得対象のプレゼンスの変化を察知すると、プレゼンスリストＡ１１１を更新し、更新したプレゼンスリストＡ１１１をプレゼンス表示処理用データ記憶部Ａ１１に格納する。
【００７９】
表示プレゼンス選択手段Ａ１０は、プレゼンス表示処理用データ記憶部Ａ１１に記憶されている表示対象プレゼンス識別子Ａ１１２に基づき、プレゼンスリスト生成手段Ａ９が生成したプレゼンスリストＡ１１１から表示対象プレゼンスＡ１１３を選択し、選択した表示対象プレゼンスＡ１１３をプレゼンス表示処理用データ記憶部Ａ１１に格納する。
【００８０】
表示更新手段Ａ８は、プレゼンス表示処理用データ記憶部Ａ１１に記憶されている表示対象プレゼンスＡ１１３に含まれるプレゼンス取得対象の数に応じた表示領域の現況表示を出力装置Ａ３に実行させる。
【００８１】
本実施例によれば、プレゼンス取得対象のプレゼンスの変化、特にはプレゼンス取得対象の数に応じて現況情報に応じた現況表示の表示領域が動的に変化するため、ユーザはプレゼンス取得対象のプレゼンスの変化を視覚的に把握できる。
【００８２】
次に、動作を詳細に説明する。
【００８３】
本実施例の動作は、「プレゼンスリスト表示・非表示制御」、「プレゼンスリストの生成と表示プレゼンスの選択」、「表示更新」の３つの状態に大きく分けることができる。
【００８４】
「プレゼンスリスト表示・非表示制御」は、出力装置Ａ３の表示領域に表示対象プレゼンスＡ１１３を表示するかしないかを制御する動作であり、主にプレゼンス表示・非表示変更手段Ａ７が行う。
【００８５】
「プレゼンスリストの生成と表示プレゼンスの選択」は、出力装置Ａ３の表示領域に表示する表示対象プレゼンスＡ１１３を生成する動作であり、主にプレゼンスリスト生成手段Ａ９と表示プレゼンス選択手段Ａ１０とが行う。
【００８６】
「表示更新」は、「プレゼンスリスト表示・非表示制御」および「プレゼンスリストの生成と表示プレゼンスの選択」に基づいて出力装置Ａ３の表示領域に現況情報に応じた表示を表示させるための描画データを生成する動作であり、主に表示更新手段Ａ８が行う。
【００８７】
以下、それぞれの状態ごとに詳細を述べる。
【００８８】
まず、「プレゼンスリスト表示・非表示制御」について説明する。
【００８９】
「プレゼンスリスト表示・非表示制御」は、入力装置Ａ１と、プレゼンス表示・非表示変更手段Ａ７と、プレゼンス表示処理用データ記憶部Ａ１１とにより実行される。
【００９０】
図３は、「プレゼンスリスト表示・非表示制御」の動作を説明するためのフローチャートである。以下、図３を参照して、「プレゼンスリスト表示・非表示制御」の処理の詳細を説明する。
【００９１】
プレゼンス表示・非表示変更手段Ａ７は、入力装置Ａ１から与えられたプレゼンス表示・非表示切り替えトリガ（表示状態変更指示）を検知すると（ステップＢ１）、プレゼンス表示処理用データ記憶部Ａ１１よりプレゼンス表示・非表示フラグＡ１１６を取得する（ステップＢ２）。
【００９２】
プレゼンス表示・非表示変更手段Ａ７は、プレゼンス表示処理用データ記憶部Ａ１１から取得したプレゼンス表示・非表示フラグＡ１１６を反転させ（ステップＢ３）、反転したプレゼンス表示・非表示フラグＡ１１６をプレゼンス表示処理用データ記憶部Ａ１１に格納する（ステップＢ４）。
【００９３】
具体的には、プレゼンス表示・非表示変更手段Ａ７は、ステップＢ２で取得したプレゼンス表示・非表示フラグＡ１１６の状態が「表示」であれば「非表示」に変更し、また、ステップＢ２で取得したプレゼンス表示・非表示フラグＡ１１６の状態が「非表示」であれば「表示」に変更する。
【００９４】
その後、表示更新手段Ａ８は、プレゼンス表示処理用データ記憶部Ａ１１に格納されたプレゼンス表示・非表示フラグＡ１１６の状態を反映させる「表示更新」を行う（ステップＢ５）。
【００９５】
ステップＢ５を簡単に説明すると、表示更新手段Ａ８は、プレゼンス表示・非表示フラグＡ１１６の値が「非表示」の場合には現況情報に応じた表示の表示領域を第１の表示領域にして現況表示を出力装置Ａ３に実行させ、プレゼンス表示・非表示フラグＡ１１６の値が「表示」の場合にはプレゼンス表示処理用データ記憶部Ａ１１に記憶されている表示対象プレゼンスＡ１１３の表示を含む現況表示の表示領域を第１の表示領域よりも広い第２の表示領域にして出力装置Ａ３に現況表示を実行させる。なお、ステップＢ５に示した「表示更新」動作の詳細は後述する。
【００９６】
次に、「プレゼンスリストの生成と表示プレゼンスの選択」について説明する。
【００９７】
「プレゼンスリストの生成と表示プレゼンスの選択」は、「プレゼンスリストの生成」段階と「表示プレゼンスの選択」段階に分けることができる。以下、それぞれの段階の詳細について述べる。
【００９８】
「プレゼンスリストの生成」は、プレゼンスサーバＡ５と、プレゼンスリスト生成手段Ａ９と、プレゼンス表示処理用データ記憶部Ａ１１とにより実行される。
【００９９】
図４は、「プレゼンスリストの生成」の動作を説明するためのフローチャートである。以下、図４を参照して、「プレゼンスリストの生成」処理の詳細を説明する。
【０１００】
プレゼンスリスト生成手段Ａ９は、プレゼンスサーバＡ５からプレゼンス取得対象のプレゼンス情報を取得し（ステップＣ１）、取得したプレゼンス情報に基づいてプレゼンスリストＡ１１１を生成する（ステップＣ２）。プレゼンスリスト生成手段Ａ９は、生成したプレゼンスリストＡ１１１を、プレゼンス表示処理用データ記憶部Ａ１１に格納する（ステップＣ３）。なお、既にプレゼンス表示処理用データ記憶部Ａ１１にプレゼンスリストＡ１１１が格納されている場合は、プレゼンスリスト生成手段Ａ９は、既存のプレゼンスリストＡ１１１を、ステップＣ２で生成したプレゼンスリストＡ１１１に書き換える。
【０１０１】
続いて、表示プレゼンス選択手段Ａ１０は「表示プレゼンスの選択」を行う（ステップＣ４）。
【０１０２】
なお、ステップＣ１の実現手法としては、データ処理装置Ａ２（例えば、プレゼンスリスト生成手段Ａ９）からプレゼンスサーバＡ５へネットワークＡ６を介して特定のプレゼンス取得対象についてプレゼンス取得要求を出し、プレゼンスサーバＡ５がそのプレゼンス取得要求に応じた特定の取得対象プレゼンスのプレゼンス情報をネットワーク６を介してプレゼンスリスト生成手段Ａ９に提供するようにしてもよい。
【０１０３】
また、端末装置１のプレゼンス取得対象のプレゼンスに変化があった際に、プレゼンスサーバＡ５が端末装置１のプレゼンス取得対象のプレゼンス情報を自動的にプレゼンスリスト生成手段Ａ９にネットワーク６を介して送付するようにしてもよい。つまり、ステップＣ１の実現手法は、実装やプロトコルに合わせて種々の手法で行うことが可能である。
【０１０４】
図５は、「表示プレゼンスの選択」の動作を説明するためのフローチャートである。以下、図５を参照して、「表示プレゼンスの選択」処理の詳細を説明する。
【０１０５】
表示プレゼンス選択手段Ａ１０は、プレゼンス表示処理用データ記憶部Ａ１１よりプレゼンスリストＡ１１１と表示対象プレゼンス識別子Ａ１１２とを取得し（ステップＤ１、ステップＤ２)、取得したプレゼンスリストＡ１１１から表示対象プレゼンス識別子Ａ１１２にマッチ（対応）するプレゼンスおよびそのプレゼンスに対応するプレゼンス取得対象を選択する（ステップＤ３）。
【０１０６】
表示プレゼンス選択手段Ａ１０は、選択したプレゼンスおよびプレゼンス取得対象と、選択したプレゼンスの数（Ｐｎ）とを、表示対象プレゼンスＡ１１３と、表示対象プレゼンス数（Ｐｎ）Ａ１１４としてプレゼンス表示処理用データ記憶部Ａ１１に格納する（ステップＤ４、ステップＤ５）。
【０１０７】
続いて、表示プレゼンス選択手段Ａ１０は、プレゼンス表示処理用データ記憶部Ａ１１より一画面に表示可能な最大プレゼンス数（Ｐｍ）Ａ１１５を取得し（ステップＤ６）、取得した一画面に表示可能な最大プレゼンス数（Ｐｍ）Ａ１１５と表示対象プレゼンス数（Ｐｎ）Ａ１１４とを比較する（ステップＤ７）。
【０１０８】
表示対象プレゼンス数（Ｐｎ）Ａ１１４が一画面に表示可能な最大プレゼンス数（Ｐｍ）Ａ１１５よりも大きい場合、表示プレゼンス選択手段Ａ１０は、プレゼンス表示処理用データ記憶部Ａ１１に記憶されているスクロール要・不要フラグＡ１１７の値を「要」に設定する（ステップＤ８）。その後、表示更新手段Ａ８は「表示更新」を行う（ステップＤ１０）。なお、表示更新手段Ａ８が行う「表示更新」については後述する。
【０１０９】
ステップＤ７において表示対象プレゼンス数（Ｐｎ）Ａ１１４が一画面に表示可能な最大プレゼンス数（Ｐｍ）Ａ１１５よりも大きくない場合、表示プレゼンス選択手段Ａ１０は、プレゼンス表示処理用データ記憶部Ａ１１に記憶されているスクロール要・不要フラグＡ１１７の値を「不要」に設定する（ステップＤ９）。その後、表示更新手段Ａ８は「表示更新」を行う（ステップＤ１０）。
【０１１０】
次に、「表示更新」について説明する。
【０１１１】
「表示更新」は表示更新手段Ａ８によって実行される。
【０１１２】
図６は、「表示更新」の動作を説明するためのフローチャートである。以下、図６を参照して、「表示更新」処理の詳細を説明する。
【０１１３】
表示更新手段Ａ８は、プレゼンス表示処理用データ記憶部Ａ１１よりプレゼンス表示・非表示フラグＡ１１６を取得し（ステップＥ１)、プレゼンス表示・非表示フラグＡ１１６を評価する（ステップＥ２)。
【０１１４】
プレゼンス表示・非表示フラグＡ１１６の値が「表示」であった場合、表示更新手段Ａ８は、プレゼンス表示処理用データ記憶部Ａ１１より表示対象プレゼンスＡ１１３を取得し（ステップＥ３）、取得した表示対象プレゼンスＡ１１３に基づいてプレゼンス表示用描画データを生成する（ステップＥ５）。なお、プレゼンス表示用描画データは、表示対象プレゼンスＡ１１３の表示を含む現況表示を出力装置Ａ３に実行させるデータである。
【０１１５】
ステップＥ５において表示更新手段Ａ８は、表示対象プレゼンスＡ１１３となっているプレゼンス（またはプレゼンス取得対象）の数が増えるしたがって現況表示の表示領域が徐々に増えていくようなプレゼンス表示用描画データを生成する。
【０１１６】
続いて、表示更新手段Ａ８は、プレゼンス表示処理用データ記憶部Ａ１１よりスクロール要・不要フラグＡ１１７を取得し（ステップＥ６）、スクロール要・不要フラグＡ１１７の値をプレゼンス表示用描画データ、具体的には表示対象プレゼンスＡ１１３の表示を含む現況表示を出力装置Ａ３に表示させるための描画データに反映させる（ステップＥ７）。
【０１１７】
表示更新手段Ａ８は、ステップＥ７で生成したプレゼンス表示用描画データに基づいた描画（現況表示）を出力装置Ａ３の表示領域に表示させる（ステップＥ８）。
【０１１８】
図７は、プレゼンス表示処理用データ記憶部Ａ１１に図２に示したデータが格納されているとき（プレゼンス表示・非表示フラグＡ１１６が「表示」のとき）に、出力装置Ａ３が表示する現況表示の一例を示した図である。
【０１１９】
図７において、現況表示７は、現況表示であることを示す現況表示指示部７１ａおよび７１ｂと、現況表示指示部７１ａと７１ｂとの間に存在するプレゼンス表示部７２とを含む。なお、プレゼンス表示部７２は、表示対象プレゼンスＡ１１３に対応した表示を行う表示部である。なお、本実施例では、現況表示指示部７１ａ、７１ｂは、プレゼンスサーバＡ５からプレゼンス情報を取得している場合にのみ表示されるので、プレゼンス情報（現況情報）に応じた表示となる。
【０１２０】
本実施例では、プレゼンス表示部７２は、表示対象プレゼンスＡ１１３を１列に並べて表示する。表示更新手段Ａ８は、プレゼンス表示部７２の表示領域、さらに言えば現況表示７を、表示対象プレゼンスＡ１１３の数に応じて変更する。本実施例では、表示更新手段Ａ８は、表示対象プレゼンスＡ１１３の数が増えるにつれてプレゼンス表示部７２の表示領域を徐々に大きくしていく。
【０１２１】
図６に戻って、ステップＥ２において、プレゼンス表示・非表示フラグの値が「非表示」であった場合、表示更新手段Ａ８は、プレゼンス非表示用描画データを生成し（ステップＥ４）、ステップＥ８へ進む。なお、プレゼンス非表示用描画データは、現況情報に応じた表示である現況表示の表示領域が第１の表示領域となる現況表示を出力装置Ａ３の表示領域に表示させる描画データである。
【０１２２】
ステップＥ８では、表示更新手段Ａ８は、プレゼンス非表示要描画データに基づいた描画を出力装置Ａ３の表示領域に表示させる。
【０１２３】
図８は、プレゼンス表示処理用データ記憶部Ａ１１に図９に示したデータが格納されているとき（プレゼンス表示・非表示フラグＡ１１６が「非表示」のとき）に、出力装置Ａ３が表示する現況表示の一例を示した図である。なお、図８において、図７に示したものと同一のものには同一符号を附してある。また、図９に示したデータは、図２に示したデータと比較すると、プレゼンス表示・非表示フラグＡ１１６が「非表示」となっている点だけが異なる。
【０１２４】
図８において、現況表示８は、現況表示指示部７１ａおよび７１ｂを含み、図７に示したプレゼンス表示部７２を含まない。なお、現況表示指示部７１ａおよび７１ｂは、例えば、表示対象プレゼンス数が１より大きい数の場合にのみ表示されるようにしてもよい。したがって、表示対象プレゼンス数が１より大きい数の場合、プレゼンス表示・非表示フラグＡ１１６が「表示」のときの現況表示７の表示領域は、プレゼンス表示・非表示フラグＡ１１６が「非表示」のときの現況表示８の表示領域よりも広くなる。
【０１２５】
なお、表示更新手段Ａ８は、プレゼンス表示・非表示フラグＡ１１６が「非表示」のときの現況表示８として、プレゼンス表示・非表示フラグＡ１１６が「表示」のときの現況表示７を縮小したものを出力装置Ａ３に表示させるようにしてもよい。
【０１２６】
次に、図２および図７〜９とを参照して、図３〜６に示した動作を具体的に説明する。
【０１２７】
まず、図３に示した「プレゼンスリスト表示・非表示制御」および図６に示した「表示更新」について説明する。
【０１２８】
例えば、プレゼンス表示処理用データ記憶部Ａ１１が図９に示したデータを格納していると、表示更新手段Ａ８は出力装置Ａ３に図８に示すような現況表示８を実行させる。
【０１２９】
このとき、入力装置Ａ１からプレゼンス表示・非表示トリガが与えられたとする（ステップＢ１)。
【０１３０】
プレゼンス表示・非表示手段Ａ７は、プレゼンス表示処理用データ記憶部Ａ１１に記憶されているプレゼンス表示・非表示フラグＡ１１６の値が「非表示」であることから、プレゼンス表示・非表示フラグＡ１１６の値を「表示」に変更し、プレゼンス表示処理用データ記憶部Ａ１１に記憶させる（ステップＢ２、Ｂ３、Ｂ４）。
【０１３１】
ステップＢ１〜Ｂ４までの処理によって、プレゼンス表示処理用データ記憶部Ａ１１に格納されているデータは、図９に示した状態から図２に示した状態に変化する。
【０１３２】
次に、プレゼンス表示・非表示フラグＡ１１６の変更を出力装置Ａ３の表示画面に反映させるため、表示更新手段Ａ８は画面表示の更新を行う（ステップＢ５）。
【０１３３】
表示更新手段Ａ８は、プレゼンス表示処理用データ記憶部Ａ１１に記憶されているプレゼンス表示・非表示フラグの値が「表示」であることから（ステップＥ１、Ｅ２）、プレゼンス表示処理用データ記憶部Ａ１１より表示対象プレゼンスＡ１１３およびスクロール要・不要フラグＡ１１７を取得し、表示対象プレゼンスＡ１１３およびスクロール要・不要フラグＡ１１７に基づいてプレゼンス表示用描画データを生成し、生成したプレゼンス表示用描画データを出力装置Ａ３に出力する（ステップＥ５、Ｅ６、Ｅ７、Ｅ８)。
【０１３４】
ステップＥ５〜Ｅ８の処理により、出力装置Ａ３で表示される現況表示は、図８に示した状態から図７に示した状態に変化する。
【０１３５】
以降、入力装置Ａ１からプレゼンス表示・非表示トリガが与えられるごとに、プレゼンス表示・非表示変更手段Ａ７は、プレゼンス表示処理用データ記憶部Ａ１１に格納されるプレゼンス表示・非表示フラグＡ１１６の状態を「表示」から「非表示」へ、または「非表示」から「表示」へ変更する。
【０１３６】
表示更新手段Ａ８は、プレゼンス表示・非表示フラグＡ１１６の状態に応じて現況表示の表示の大きさを変更する。例えば、表示更新手段Ａ８は、プレゼンス表示・非表示フラグＡ１１６が「非表示」の際の表示の大きさを、プレゼンス表示・非表示フラグＡ１１６が「表示」の際の表示の大きさより小さくする。
【０１３７】
次に、図４に示した「プレゼンスリストの生成」、図５に示した「表示プレゼンスの選択」および図６に示した「表示更新」について具体的に説明する。
【０１３８】
例えば、プレゼンス表示処理用データ記憶部Ａ１１が図１０に示したデータを格納していると、表示更新手段Ａ８は出力装置Ａ３に図１１に示すような現況表示１１を実行させる。なお、図１０において、図２に示したものと同一のものには同一符号を附してある。また、図１１において、図７に示したものと同一のものには同一符号を附してある。
【０１３９】
このとき、例えば、プレゼンスサーバＡ５からプレゼンスリスト生成手段Ａ９に対して「Ｄさん」のプレゼンスの変更が通知されたとする。
【０１４０】
プレゼンスリスト生成手段Ａ９は、プレゼンスサーバＡ５から「Ｄさん」のプレゼンス情報を取得し、取得したプレゼンス情報から「Ｄさん」のプレゼンスを検出し、検出した「Ｄさん」のプレゼンス（本実施例では、オンライン）に基づいて、プレゼンス表示処理用データ記憶部Ａ１１に格納されているプレゼンスリストＡ１１１を更新する（ステップＣ１、Ｃ２、Ｃ３）。
【０１４１】
次に、表示プレゼンス選択手段Ａ１０は、更新されたプレゼンスリストＡ１１１の内容を、プレゼンス表示処理用データ記憶部Ａ１１に記憶されている表示対象プレゼンスＡ１１３に反映させる（ステップＣ４)。
【０１４２】
本実施例では、プレゼンス表示処理用データ記憶部Ａ１１に記憶されている表示対象プレゼンス識別子Ａ１１２が「オンライン」であることから、表示対象プレゼンス選択手段Ａ１０は、プレゼンスリストＡ１１１から「オンライン」のプレゼンスを識別し、「Ａさん、Ｂさん、Ｃさん、Ｄさんのプレゼンス」を表示対象プレゼンスＡ１１４としてプレゼンス表示処理用データ記憶部Ａ１１に記憶する (ステップＤ１、Ｄ２、Ｄ３、Ｄ４）。
【０１４３】
また、表示プレゼンス選択手段Ａ１０は、表示対象プレゼンス数Ａ１１４を「４」とし、表示対象プレゼンス数Ａ１１４である「４」とプレゼンス表示処理用データ記憶部Ａ１１に記憶されている一画面に表示可能な最大プレゼンス数Ａ１１５「５」とを比較し、この比較結果に基づいてスクロール要・不要フラグＡ１１７を「不要」に設定する（ステップＤ５、Ｄ６、Ｄ７、Ｄ８）。
【０１４４】
ステップＣ１〜Ｃ４およびステップＤ１〜Ｄ８までの処理によって、プレゼンス表示処理用データ記憶部Ａ１１に格納されているデータは、図１０に示した状態から図１２に示した状態に変化する。なお、図１２において、図１０に示したものと同一のものには同一符号を附してある。
【０１４５】
さらに、表示対象プレゼンスＡ１１３の変更を出力装置Ａ３の表示画面（現況表示）に反映させるため、表示更新手段Ａ８は画面表示の更新を行う（ステップＤ１０)。
【０１４６】
表示更新手段Ａ８の処理の詳細は前述した通りである。
【０１４７】
ステップＤ１０、具体的にはステップＥ１〜Ｅ８の処理により、出力装置Ａ３で表示される現況表示は、図１１に示した状態から図１３に示した状態に変化する。具体的には、プレゼンス表示部７２が示す内容として、「Ｄさん」および「Ｄさんのプレゼンス」とが追加され、プレゼンス表示部７２さらに言えば現況表示１１の表示領域が図１１の場合に比べて広くなる。なお、図１３において、図１１に示したものと同一のものには同一符号を附してある。
【０１４８】
本実施例では、現況表示において、変更のあったプレゼンス（現況）を変更のなかったプレゼンス（現況）と異なる表示形態（具体的には、Ｄさんに関する反転表示）で表示している。よって、ユーザは変更のあったプレゼンス（現況）を容易に確認することができる。
【０１４９】
なお、プレゼンスサーバＡ５から提供されるプレゼンス情報に基づくプレゼンスリストＡ１１１の変更により、表示対象プレゼンスの数が減少した場合には、当然のことながら出力装置Ａ３で表示されるプレゼンス表示部７２さらに言えば現況表示１１の表示領域は減少する。
【０１５０】
本実施例では、表示対象の数すなわち表示対象プレゼンスＡ１１３の数の変化に応じて現況表示の表示領域が変化するので、表示対象の数の変化が視覚的に容易に把握できる。
【０１５１】
次に、本発明の他の実施例について図面を用いて詳細に説明する。
【０１５２】
図１４は、本発明の他の実施例を示した現況表示システムを示したブロック図である。なお、図１４において、図１に示したものと同一構成のものには同一符号を付してある。
【０１５３】
図１４において、本実施例の現況表示システムは、端末装置１０と、端末装置１０とネットワークＡ６を介して接続するプレゼンスサーバＡ５とを含む。
【０１５４】
本発明の他の実施例の端末装置１０は、入力装置Ａ１、プログラム制御により動作するデータ処理装置Ｈ２、出力装置Ａ３、種々の情報を記憶する記憶装置Ａ４とを含む。
【０１５５】
データ処理装置Ｈ２は、プレゼンスサービスを提供するプレゼンスサーバＡ５とネットワークＡ６を通じて接続する。
【０１５６】
表示領域制御部としてのデータ処理装置Ｈ２はコンピュータであり、データ処理装置内のメモリ（不図示）に記憶された制御プログラムに従って端末装置１０全体の動作を制御する。なお、図１４では、データ処理装置Ｈ２がデータ処理装置Ｈ２内のメモリに記憶された制御プログラムを実行することによって実現される機能を機能ブロック図として示している。
【０１５７】
データ処理装置Ｈ２は、プレゼンス表示・非表示変更手段Ａ７と、表示更新手段Ａ８と、プレゼンスリスト生成手段Ａ９と、表示プレゼンス選択・表示手段Ｈ１０とを含む。データ処理装置Ｈ２は、図１に示したデータ処理装置Ａ２と比較すると、データ処理装置Ａ２が有していた表示プレゼンス選択手段Ａ１０の代わりに、表示プレゼンス選択・表示手段Ｈ１０を有する点で異なる。
【０１５８】
表示プレゼンス選択・表示手段Ｈ１０は、図５に示した表示プレゼンス選択手段Ａ１０の動作に加え、プレゼンス表示処理用データ記憶部Ａ１１に記憶されているプレゼンス表示・非表示フラグＡ１１６の状態を変更する機能を有する。
【０１５９】
次に、本実施例の動作を詳細に説明する。なお、本実施例の動作は、図１に示した実施例の動作と比較して、表示プレゼンス選択・表示手段Ｈ１０の動作が異なるだけなので、以下では表示プレゼンス選択・表示手段Ｈ１０の動作を中心に説明する。
【０１６０】
図１５は、表示プレゼンス選択・表示手段Ｈ１０の動作を説明するためのフローチャートである。以下、図１５を参照して表示プレゼンス選択・表示手段Ｈ１０の動作を説明する。なお、図１５のステップＤ１〜Ｄ１０で示される動作は、図５に示した表示プレゼンス選択手段Ａ１０の動作（ステップＤ１〜Ｄ１０）と同一であるため説明は省略する。
【０１６１】
図１に示した表示プレゼンス選択手段Ａ１０は、プレゼンス表示処理用データ記憶部Ａ１１に記憶されているプレゼンス表示・非表示フラグＡ１１６を変更しない。
【０１６２】
そのため、図１に示した実施例では、プレゼンス表示・非表示フラグＡ１１６が非表示であった場合、プレゼンスサーバＡ５から提供されるプレゼンス情報がプレゼンス取得対象のプレゼンスの変化を示し、表示対象プレゼンスＡ１１３に変化が生じても、表示更新手段Ａ８は、プレゼンス非表示状態の現況表示（例えば、図８に示した現況表示）を出力装置Ａ３に表示させる。
【０１６３】
したがって、図１に示した実施例の場合、ユーザが現況表示の表示領域を第１の表示領域に設定した際には、プレゼントサーバＡ５からプレゼンス情報を受け付けても第１の表示領域の状態を維持するので、例えば、出力装置Ａ３の表示部を用いて他の機能を実行している場合、現況情報を受け付けた際に現況表示の表示領域が第１の表示領域より広い表示領域に変更される場合に比べて他の機能の作業効率がよくなるという効果を奏する。
【０１６４】
しかしながら、図１に示した実施例の場合、複数の対象のいずれかの現況の変化を確認することが困難となる。
【０１６５】
本実施例では、プレゼンスサーバＡ５から提供されるプレゼンス情報がプレゼンス取得対象のプレゼンスの変化を示した場合、表示プレゼンス選択・表示手段Ｈ１０は、プレゼンス表示処理用データ記憶部Ａ１１に記憶されているプレゼンス表示・非表示フラグＡ１１６を「表示」に設定する（ステップＩ１、Ｉ２、Ｉ３）。そのため、表示更新手段Ａ８は、プレゼンス表示用描画データを生成し、生成したプレゼンス表示用描画データを出力装置Ａ３に出力する。したがって、本実施例の場合、複数の対象のいずれかの現況の変化を確認することが容易になる。なお、表示更新手段Ａ８の動作は図６に示した動作と同一であるため説明は省略する。
【０１６６】
なお、本発明は上記の構成に限るものではなく、要旨を変更しない範囲で適宜変更可能である。
【０１６７】
例えば、端末装置１のプレゼンス取得対象は、複数の人に限るものではなく、適宜変更可能である。例えば、端末装置１のプレゼンス取得対象は、複数の装置であってもよい。
【０１６８】
また、プレゼンス取得対象のプレゼンスは、図２および図１０に示したものに限るものではなく、適宜変更可能である。
【０１６９】
また、表示対象プレゼンスＡ１１３に応じた現況表示は、図７、図８、図１１および図１３に示した例に限るものでなく適宜変更可能である。
【図面の簡単な説明】
【０１７０】
【図１】本発明の一実施例の現況表示システムの一例を示したブロック図である。
【図２】プレゼンス表示処理用データ記憶部が記憶するデータの一例を示した説明図である。
【図３】現況表示システムの動作を説明するためのフローチャートである。
【図４】現況表示システムの動作を説明するためのフローチャートである。
【図５】現況表示システムの動作を説明するためのフローチャートである。
【図６】現況表示システムの動作を説明するためのフローチャートである。
【図７】現況表示の一例を示した説明図である。
【図８】現況表示の他の例を示した説明図である。
【図９】プレゼンス表示処理用データ記憶部が記憶するデータの他の例を示した説明図である。
【図１０】プレゼンス表示処理用データ記憶部が記憶するデータの他の例を示した説明図である。
【図１１】現況表示の他の例を示した説明図である。
【図１２】プレゼンス表示処理用データ記憶部が記憶するデータの他の例を示した説明図である。
【図１３】現況表示の他の例を示した説明図である。
【図１４】本発明の他の実施例の現況表示システムを示したブロック図である。
【図１５】現況表示システムの動作を説明するためのフローチャートである。
【符号の説明】
【０１７１】
１      端末装置
Ａ１    入力装置
Ａ２    データ処理装置
Ａ３    出力装置
Ａ４    記憶装置
Ａ５    プレゼンスサーバ
Ａ６    ネットワーク
Ａ７    プレゼンス表示・非表示変更手段
Ａ８    表示更新手段
Ａ９    プレゼンスリスト生成手段
Ａ１０  表示プレセンス選択手段
Ａ１１  プレゼンス表示処理用データ記憶部
１０    端末装置
Ｈ２    データ処理装置
Ｈ１０  表示プレゼンス選択・表示手段
【図１】
2005135250.tif 000003
【図２】
2005135250.tif 000004
【図３】
2005135250.tif 000005
【図４】
2005135250.tif 000006
【図５】
2005135250.tif 000007
【図６】
2005135250.tif 000008
【図７】
2005135250.tif 000009
【図８】
2005135250.tif 000010
【図９】
2005135250.tif 000011
【図１０】
2005135250.tif 000012
【図１１】
2005135250.tif 000013
【図１２】
2005135250.tif 000014
【図１３】
2005135250.tif 000015
【図１４】
2005135250.tif 000016
【図１５】
2005135250.tif 000017